(57)【要約】【課題】ＩＰ網を通じてデータの送信を行う手段を複数種類備える通信端末装置において、ＩＰアドレスにより直接相手先を指定することが可能であり、なお且つ、使用する通信プロトコル、ポート番号を任意に相手先毎に設定できるようにして、ネットワーク（ＬＡＮ）上でのより柔軟な運用を可能とした通信端末装置を提供すること。【解決手段】通信相手先のＩＰアドレス、通信プロトコル及びポート番号を対応付けて記憶するテーブル１９と、通信すべき相手先の宛先情報としてＩＰアドレスが指定された場合には、指定されたＩＰアドレスに対応付けられた通信プロトコルによって通信を行う手段と、を備える通信端末装置１。【選択図】      図５
2005033521.tif 000002
【特許請求の範囲】
【請求項１】
通信相手先のＩＰアドレスと通信プロトコルを対応付けて記憶する記憶手段と、通信すべき相手先の宛先情報としてＩＰアドレスが指定された場合には、指定されたＩＰアドレスに対応付けられた通信プロトコルによって通信を行う通信手段と、を備えることを特徴とする通信端末装置。
【請求項２】
通信相手先のＩＰアドレスとポート番号を対応付けて記憶する記憶手段と、通信すべき相手先の宛先情報としてＩＰアドレスが指定された場合には、指定されたＩＰアドレスに対応付けられたポート番号を使用して通信を行う通信手段と、を備えることを特徴とする通信端末装置。
【請求項３】
ＩＰアドレス、通信プロトコル及びポート番号を入力指定する手段と、入力指定されたＩＰアドレスの相手先と入力指定されたポート番号を使用して、入力指定された通信プロトコルによって通信を行う通信手段と、を備えることを特徴とする通信端末装置。
【請求項４】
前記通信手段により通信する場合に、通信相手先の識別子を取得する手段と、取得した前記識別子を表示あるいは記憶する手段と、を備えることを特徴とする請求項１乃至３の何れか１に記載の通信端末装置。
【発明の詳細な説明】
【０００１】
【発明の属する技術分野】
本発明は、ＳＭＴＰ（Ｓｉｍｐｌｅ  Ｍａｉｌ  Ｔｒａｎｓｆｅｒ  Ｐｒｏｔｏｃｏｌ）、ＨＴＴＰ（Ｈｙｐｅｒｔｅｘｔ  Ｔｒａｎｓｆｅｒ  Ｐｒｏｔｏｃｏｌ）、ＳＩＰ（Ｓｅｓｓｉｏｎ  Ｉｎｉｔｉａｔｉｏｎ  Ｐｒｏｔｏｃｏｌ）などＩＰ（インターネットプロトコル）網を通じてデータの伝送を行う通信端末装置に関する。
【０００２】
【従来の技術】
近年、インターネットファクシミリ通信、ＨＴＴＰ通信など、各種の通信サーバ機能を備え、ネットワークに設置される複合機型の通信端末装置が開発されている。かかる通信端末装置は、例えばメールサーバ機能を有するため、メールサーバ等を経由せずに、直接相手装置とＴＣＰ接続して電子メール送信を行うことができる。
【０００３】
かかる複合機により、原稿の画データを相手先に送信する場合には、送信操作時に相手先の宛先情報である、メールアドレス、ＵＲＬ（Ｕｎｉｆｏｒｍ  Ｒｅｓｏｕｒｃｅ  Ｌｏｃａｔｏｒｓ）、ファクシミリ番号等がオペレータによって入力指定される。そして、通信端末装置は、指定された宛先情報の記載形式から使用すべき通信プロトコル、ポート番号を特定し、その通信プロトコルにて送信処理を行う。例えば、指定された宛先情報が「０」から始まる所定桁数の数字である場合には、その宛先情報をファクシミリ番号とみなして、ファクシミリ通信による送信処理を行う。また、指定された宛先情報が「＠」を含む文字列である場合には、その宛先情報をメールアドレスとみなして、インターネットファクシミリ通信による送信処理を行う。また、指定された宛先情報が「ｈｔｔｐ：」から始まる文字列である場合には、その宛先情報をＵＲＬであるとみなして、ＨＴＴＰ通信による送信処理を行う。
【０００４】
例えば特許文献１に開示されている通信端末装置のように、短縮ダイヤル番号にファクシミリ又は電子メールの何れかを指定する情報を対応付けておき、送信操作時に短縮ダイヤル番号が指定されたときに、その短縮ダイヤル番号に対応付けられたファクシミリ又は電子メールによって送信処理を行うものもある（例えば、特許文献１）。
【０００５】
【特許文献１】
特開平１０−１２６６００号公報
【０００６】
【発明が解決しようとする課題】
ところで、ＩＰ網を利用する通信プロトコルによって送信処理を行うには、宛先情報として指定されたメールアドレス、ＵＲＬ等をＤＮＳ（Ｄｏｍａｉｎ  Ｎａｍｅ  Ｓｙｓｔｅｍ）サーバに提示して、当該メールアドレス等に対応するＩＰアドレスを取得する処理が必要である。
【０００７】
一方、ユーザが通信相手先の宛先情報として、メールアドレス等の代わりに、ＩＰアドレスを直接指定すれば、ＤＮＳサーバへのＩＰアドレスの問い合わせ処理を省略することができる。しかし、通信端末装置にＩＰアドレスのみが指定されても、使用すべき通信プロトコル、ポート番号が特定されない。このため、ＤＮＳサーバへのＩＰアドレスの問い合わせ処理を省略するためには、ＩＰアドレスに加えて通信プロトコル及びポート番号の入力操作が必要となり、ユーザの操作負担が増加するという問題が生じる。
【０００８】
また、電子メールサーバ機能等を有する上記通信端末装置をネットワーク上に新たに設置する場合は、ＤＮＳサーバへの登録や、既存の電子メール環境やＷＥＢ環境に影響を与えないようにするために、あるいは、新設に際しての設定負担を軽減するために、特別なＩＰアドレスや特別なポート番号を運用することが求められることが多い。しかし、複数の通信機能を備える上記通信端末装置においては、上記したように、ＩＰアドレスより相手先が特定できても、使用すべき通信プロトコルを特定することができない。また、ＩＰアドレスにより相手先が特定され、使用すべき通信プロトコルが特定されても、その相手先のポート番号が特別なものであれば、それを特定することができないという問題がある。
【０００９】
本発明は、かかる課題に鑑みてなされたものであり、ＩＰ網を通じてデータの送信を行う手段を複数種類備える通信端末装置において、ＩＰアドレスにより直接相手先を指定することが可能であり、なお且つ、使用する通信プロトコル、ポート番号を任意に相手先毎に設定できるようにして、ネットワーク（ＬＡＮ）上でのより柔軟な運用を可能とした通信端末装置を提供することを目的とする。
【００１０】
【課題を解決するための手段】
上記目的を達成するために、請求項１記載の通信端末装置は、通信相手先のＩＰアドレスと通信プロトコルを対応付けて記憶する記憶手段と、通信すべき相手先の宛先情報としてＩＰアドレスが指定された場合には、指定されたＩＰアドレスに対応付けられた通信プロトコルによって通信を行う手段と、を備えることを特徴としている。
【００１１】
請求項２記載の通信端末装置は、通信相手先のＩＰアドレスとポート番号を対応付けて記憶する記憶手段と、通信すべき相手先の宛先情報としてＩＰアドレスが指定された場合には、指定されたＩＰアドレスに対応付けられたポート番号を使用して通信を行う手段と、を備えることを特徴としている。
【００１２】
請求項３記載の通信端末装置は、ＩＰアドレス、通信プロトコル及びポート番号を入力指定する手段と、入力指定されたＩＰアドレスの相手先と入力指定されたポート番号を使用して、入力指定された通信プロトコルによって通信を行う手段と、を備えることを特徴としている。
【００１３】
請求項４記載の通信端末装置は、請求項１乃至３の何れか１に記載の通信端末装置において、前記通信手段により通信する場合に、通信相手先の識別子を取得する手段と、取得した前記識別子を表示あるいは記憶する手段と、を備えることを特徴としている。
【００１４】
【発明の実施の形態】
以下、本発明の実施の形態に係る通信端末装置について図面に基づいて説明する。図１に通信端末装置１の構成例を示す。すなわち、通信端末装置１は、ＣＰＵ（中央処理装置）２、ＲＡＭ（ランダムアクセスメモリー）３、ＲＯＭ（リードオンリーメモリー）４、コーデック５、モデム６、ＮＣＵ（ネットワークコントロールユニット）７、読取部８、記録部９、表示部１０、操作部１１、及びＬＡＮインターフェース１２を備えたものであって、各部２乃至１２は通信可能にバス１３によって接続されている。
【００１５】
ＣＰＵ２は、ＲＯＭ４に格納されたプログラムに従って、この通信端末装置１を構成する各部を制御する。ＲＡＭ３は、画データ、各種設定情報、後述するテーブル等を記憶する記憶部として機能する。ＲＯＭ４は、ＣＰＵ２によりこの通信端末装置１の各部の動作が制御されるための各種プログラムを記憶している。
【００１６】
コーデック５は、画データを送信のためにＭＨ、ＭＲ、ＭＭＲ方式等により符号化し、受信した画データを復号する。また、電子メール添付ファイル形式として一般的に利用されている画像フォーマットであるＴＩＦＦ（Ｔａｇｇｅｄ  Ｉｍａｇｅ  Ｆｉｌｅ  Ｆｏｒｍａｔ）形式にも対応して符号化、復号する。
【００１７】
モデム６は、例えばＩＴＵ−Ｔ（国際電気通信連合）の勧告Ｖ．３４規格又はこれと同様のものに従った送受信データの変調及び復調を行う。ＮＣＵ７は、電話回線を制御して電話をかけたり切ったりする回線網制御装置でありＰＳＴＮ（公衆交換電話網）１４に接続されている。
【００１８】
読取部８は、原稿の画データを読み取って、白黒２値化した画データを出力する。記録部９は、例えば電子写真方式のものからなり、受け取った画データ等を記録紙上に記録する。
【００１９】
表示部１０は、例えば操作部１１に並設されたＬＣＤ（Ｌｉｑｕｉｄ  Ｃｒｙｓｔａｌ  Ｄｉｓｐｌａｙ）からなり、各種の画面情報を表示する。操作部１１は、ファクシミリ番号、ＩＰ電話番号、メールアドレス、ＵＲＬ等の各種の宛先情報等を入力するための情報入力キー１１ａ、該情報入力キー１１ａにより入力される宛先情報がＩＰアドレスであることを通信端末装置１に認識させるために、宛先情報の入力に際して押下されるＩＰアドレス識別キー１１ｂ、リダイヤルキー１１ｃなどを具備する。前記ＩＰアドレス識別キー１１ｂの利用により、通信端末装置１は、番号列で構成される電話番号とＩＰアドレスとを確実に識別することができる。
【００２０】
ＬＡＮインターフェース１２は、ＬＡＮ（ローカル・エリア・ネットワーク）１５と通信端末装置１と通信可能に接続するインターフェースである。ＬＡＮ１５には、クライアントＰＣ１６が設置されており、クライアントＰＣ１６から通信端末装置１が有する各種機能を利用することができるようになっている。また、ＬＡＮ１５には、ルータ１８が設置されており、通信端末装置１は、ルータ１８、インターネット等を通じて他の通信端末装置と後述する各種の通信機能によりデータを送受信することができる。
【００２１】
上記構成を備える通信端末装置１は、Ｇ３ファクシミリ通信機能、インターネットファクシミリ通信機能（メールサーバ機能を備えている。）、ＨＴＴＰ通信機能、及びＳＩＰによるＩＰ電話通信機能を有する複合機である。また、ワンタッチ／短縮ダイヤル又は操作部１１からのオペレータによる直接入力により、メールアドレス、ＵＲＬ（Ｕｎｉｆｏｒｍ  Ｒｅｓｏｕｒｃｅ  Ｌｏｃａｔｏｒｓ）、電話番号のほか、前記ＩＰアドレス識別キーの押下に伴ってＩＰアドレスを送信相手先の宛先情報として入力指定することができるようになっている。
【００２２】
ワンタッチ／短縮ダイヤルにより指定される宛先情報等は、図２に示すような、ワンタッチ／短縮テーブル１９に登録（記憶）されている。該テーブル１９は、ＲＡＭ３の所定領域に形成されているものであって、「ワンタッチ／短縮」欄、「宛先」欄、「ポート番号」欄及び「プロトコル」欄から構成されており、各欄の情報は同一レコードに格納されることで互いに対応付けられている。また、該テーブル１９内の情報は、オペレータによる操作部１１からの所定操作により、自由に編集が可能となっている。「ワンタッチ／短縮」欄には、「Ａ０１、Ａ０２、・・・」等のワンタッチダイヤル番号、「００１、００２・・・」等の短縮ダイヤル番号が格納されている。「宛先」欄には、ＩＰアドレス、電話番号等の宛先情報が登録されている。「ポート番号」欄には、通信に際して使用するポート番号が登録されている。「プロトコル」欄には通信に使用する通信プロトコルの種類が登録されている。
【００２３】
また、ＩＰ電話番号とファクシミリ番号を識別するための識別情報（例えば「０５０」、「０８０」）は、ＲＡＭ３の所定領域に記憶されており、通信端末装置１は、この識別情報と同じ番号から始まる電話番号をＩＰ電話番号とみなし、それ以外の電話番号をファクシミリ番号とみなして、通信プロトコルとしてＩＰ電話又はＧ３ファクシミリを選択するようにしてもよい。
【００２４】
また、通信端末装置１は、通信履歴情報をＲＡＭ３の所定領域に形成される、図３に示すような、通信履歴テーブル２０に記憶する。さらに、通信端末装置１は、直前に送信した相手先の宛先情報を、リダイヤルキー１１ｃにより再指定できるように、図４に示すような、リダイヤル情報テーブル２１に記憶する。前記通信履歴テーブル２０は、図３に示すように、行番号を格納する「ＮＯ．」欄、相手先の宛先情報を格納する「相手先」欄、通信開始日時を格納する「通信開始日時」欄、通信時間を格納する「通信時間」欄、通信枚数を格納する「枚数」欄、通信結果を格納する「結果」欄からなり、通信端末装置１において通信が行われる毎に新規レコードが追加される。また、リダイヤル情報テーブル２１は、図４に示すように、相手先の宛先情報を格納する「宛先」欄、使用したポート番号を格納する「ポート番号」欄、使用した通信プロトコルを格納する「プロトコル」欄で構成されている。
【００２５】
以上のような構成及び通信機能を備えた通信端末装置１は、オペレータの送信操作に際し、通信相手先の宛先情報として、ファクシミリ番号、ＩＰ電話番号、メールアドレス、ＵＲＬ、ＩＰアドレスの指定を受付けるほか、ポート番号、通信に使用すべきプロトコルの種類の指定をも受付けるようになっている。以下、かかる通信端末装置１が相手先へ原稿を送信する際に実行する処理動作について、図５に示すフローチャートに基づいて説明する。なお、このフローチャートに基づいて説明する通信端末装置１の処理動作は、ＲＯＭ４に格納されている制御プログラムに基づいてＣＰＵ２が発行する命令に従って行われる。
【００２６】
オペレータにより読取部８に原稿がセットされ、操作部１１のキー入力操作により宛先情報が直接入力指定され、又は、ワンタッチ／短縮ダイヤル若しくはリダイヤルキー１１ｃにより宛先情報が間接的に指定され、オペレータが必要とするときは、更にポート番号及び使用すべき通信プロトコルの入力指定がなされ、スタートキーが押下される。すると、通信端末装置１は、指定された宛先情報、ワンタッチ／短縮番号又はリダイヤルキー１１ｃに加えて、指定された場合には、ポート番号及び通信プロトコルを受付けてＲＡＭ３に記憶する（Ｓ１）。
【００２７】
次いで、直接又は間接的に指定された宛先情報がＩＰアドレスであるか否かを判断する（Ｓ２）。すなわち、操作部１１から宛先情報が直接入力指定された場合には、その宛先情報がＩＰアドレスであるか否かを判断する。ワンタッチ／短縮ダイヤルにより宛先情報が間接的に指定された場合には、ワンタッチ／短縮ダイヤルテーブル１９において、指定されたワンタッチ／短縮番号に対応付けて「ＩＰアドレス」欄にＩＰアドレスが登録（記憶）されている場合に、その宛先情報はＩＰアドレスであると判断し、登録されていない場合にその宛先情報はＩＰアドレスではないと判断する。また、リダイヤルキー１１ｃにより宛先情報が間接的に指定された場合には、リダイヤル情報テーブル２１の「ＩＰアドレス」欄にＩＰアドレスが登録（記憶）されている場合に、その宛先情報はＩＰアドレスであると判断し、登録されていない場合にその宛先情報はＩＰアドレスではないと判断する。
【００２８】
次いで、指定された宛先情報がＩＰアドレスではないと判断した場合は（Ｓ２：ＮＯ）、前記Ｓ１で指定された宛先情報がファクシミリ番号であるか否かを判断する（Ｓ３）。具体的には、指定された宛先情報が特定の番号（「０５０」等）から始まるものを除いた電話番号である場合にファクシミリ番号であると判断し、特定の番号から始まるものをＩＰ電話番号であると判断する。そして、ファクシミリ番号であると判断した場合には、読取部８にセットされた原稿の画データを読取り、読み取った画データに必要なデータ変換処理等を施して、Ｇ３ファクシミリにより当該ファクシミリ番号の相手先に対して送信する（Ｓ４）。
【００２９】
一方、前記Ｓ３においてファクシミリ番号ではないと判断した場合は、宛先情報をＤＮＳサーバ（不図示）に、必要な場合にはディレクトリサーバ、ＳＩＰサーバ等にも、提示するとともに、その宛先情報に対応するＩＰアドレスを取得する（Ｓ５）。そして、読取部８にセットされた原稿の画データを読取り、読み取った画データに、当該宛先情報の記載形式から判断される通信プロトコルに応じたデータ変換処理を施し、取得したＩＰアドレスに対して当該通信プロトコルによって送信する（Ｓ６）。
【００３０】
一方、前記Ｓ２において、指定された宛先情報がＩＰアドレスであると判断した場合は、デフォルト設定のポート番号及び通信プロトコルに代えて、使用すべきポート番号及び通信プロトコルとして、後述するポート番号及び通信プロトコルを採用して相手先と通信を開始するための接続を行う（Ｓ７）。ここで、採用されるポート番号及び通信プロトコルとしては、前記Ｓ１において、直接ポート番号及び通信プロトコルが入力指定された場合はそのポート番号及び通信プロトコルが、ワンタッチ／短縮ダイヤルにより間接的に宛先情報が指定されたときはワンタッチ／短縮ダイヤルテーブル１９の当該宛先情報に対応付けて登録されているものが、リダイヤルキー１１ｃにより宛先情報が間接的に指定されたときは、リダイヤル情報テーブル２１の当該宛先情報に対応付けて登録されているものが採用される。使用するポート番号及び通信プロトコルが直接入力してされておらず、前記テーブル１９、２１にも登録されていない場合は、デフォルト設定のポート番号及び通信プロトコルがそのまま採用される。
【００３１】
なお、デフォルト設定の通信プロトコルとしては、「ＳＭＴＰ」が、デフォルト設定のポート番号としては、「ＳＭＴＰ」に一般的に使用される「２５番」が設定されている。しかし、デフォルト値はこれらに限定されずともよく、その他の通信プロトコル及びその通信プロトコルに一般的に使用されるポート番号がデフォルト値として設定されてもよい。
【００３２】
次に、通信端末装置１は、接続した相手先から当該通信プロトコルの手順上で相手から提示されるホスト名（通信相手先の識別子）を取得し、これを自装置１の表示部１０に表示するとともに、ＲＡＭ３の所定領域に記憶する処理を行う（Ｓ８）。なお、前記識別子の取得はこれに限定されず、例えば、ＤＮＳ、ＬＤＡＰ（Ｌｉｇｈｔｗｅｉｇｈｔ  Ｄｉｒｅｃｔｏｒｙ  Ａｃｃｅｓｓ  Ｐｒｏｔｏｃｏｌ）等のサーバへ問い合わせることにより行ってもよい。
【００３３】
そして、読取部８にセットされた原稿の画データを読取り、読み取った画データに必要なデータ変換処理等を施して、通信プロトコルに従ったデータ通信（原稿の送信等）を行い（Ｓ９）、取得してＲＡＭ３に記憶したホスト名、相手先のＩＰアドレス、使用したポート番号及び使用した通信プロトコルを通信履歴テーブル２０及びリダイヤル情報テーブル２１（図４参照）の各欄にそれぞれ格納（記憶）する（Ｓ１０）。
【００３４】
より具体的には、図３に示すように、通信履歴テーブル２０に、新規レコード２３が追加され、取得されたホスト名が追加レコードの「相手先」欄に、続番号が「ＮＯ．」欄に、通信開始日時が「通信開始日時」欄に、通信時間が「通信時間」欄に、通信枚数が「枚数」欄に、通信結果が「結果」欄に格納される。また、リダイヤル情報テーブル２１は、格納情報全体が更新され、相手先のＩＰアドレスが「宛先」欄に、前記Ｓ９で使用されたポート番号が「ポート」番号欄に、前記Ｓ９で使用された通信プロトコルが「プロトコル」欄に格納される。
【００３５】
以上の説明から明らかなように、本実施の形態に係る通信端末装置１によれば、ＩＰアドレスにより通信相手先を指定することができ、なお且つ、使用する通信プロトコル及びポート番号を任意に相手先毎に設定又は指定することが可能である。また、宛先ＩＰアドレス毎に通信プロトコル及びポート番号が登録されているので送信操作に際して、ワンタッチダイヤル番号や短縮ダイヤル番号を指定するだけで、ＤＮＳサーバ等への問い合わせ処理を省略することができ、通信プロトコルの入力操作も不要であるため、送信時の操作負担が軽減される。
【００３６】
また、ＩＰアドレスにより指定した相手先と通信中に、通信プロトコルの手順上で相手先から提示されるホスト名を取得し、それが表示部１０に表示されるので、ユーザは送信中の相手先を、わかりやすいホスト名にて把握することができる。さらに、取得されたホスト名は、通信履歴テーブル２０にも格納されるので、ＩＰプロトコルを指定して行った通信履歴情報の相手は、ＩＰアドレスではなく、わかりやすいホスト名で表示されるという利点がある。
【００３７】
また、上記一連の処理動作により通信を行った相手先のＩＰアドレスは同相手先のホスト名とともに、リダイヤル情報テーブル２１にも格納されるので、ユーザは、リダイヤル機能を利用することにより簡易に同相手先のＩＰアドレスを指定して再送信を行うことができる。
【００３８】
なお、上記の説明においては、前記Ｓ１において通信端末装置１が受付ける宛先情報等は、操作部１１からオペレータにより直接又は間接的に指定された場合を例に挙げて説明したが、本装置１がクライアントＰＣ１６から送信要求を受けて送信を行う場合には、受付ける宛先情報等は、クライアントＰＣ１６からの送信要求とともに受付けるものとなる。そして、受付けた宛先情報等に基づいて、前記Ｓ２以降に示した処理動作を同様に実行する。
【００３９】
【発明の効果】
請求項１記載の通信端末装置によれば、ＩＰアドレスにより相手先を指定する場合に、複合機において必要となる通信プロトコルの選択操作を省略することが可能となり、操作の簡略化が図られる。また、使用する通信プロトコルを任意に相手先毎に設定することができる。
【００４０】
請求項２記載の通信端末装置によれば、ＩＰアドレスにより相手先を指定する場合に、必要となるポート番号の選択操作を省略することが可能となり、操作の簡略化が図られる。また、使用するポート番号を任意に相手先毎に設定することができる。
【００４１】
請求項３記載の通信端末装置によれば、ＩＰアドレス、使用する通信プロトコル、使用するポート番号をオペレータの意図に即して自由に指定することができるので、例えば、同じＩＰアドレスの相手装置が多数の通信プロトコルを有する場合や、相手装置が独自に設定したポート番号を使用して通信を行う場合に便利である。
【００４２】
請求項４記載の通信端末装置によれば、通信中の相手先がＩＰアドレスではなく、ホスト名等の識別子で表示されるので、オペレータは通信中の相手先を容易に把握することができる。また、通信履歴等として記憶される相手先の宛先情報として、前記識別子が記憶されるので、通信履歴等を確認するときに容易に相手先を把握することができ便利である。
【図面の簡単な説明】
【図１】本発明の実施の形態に係る通信端末装置の構成例及び該通信端末装置が設置されるネットワークの構成例を示した図である。
【図２】ワンタッチ／短縮ダイヤルテーブルの例を示した図である。
【図３】通信履歴テーブルの例を示した図である。
【図４】リダイヤル情報テーブルの例を示した図である。
【図５】本発明の実施の形態に係る通信端末装置が相手先へ原稿を送信する際に実行する処理動作を示したフローチャートである。
【符号の説明】
１  通信端末装置
２  ＣＰＵ
３  ＲＡＭ
４  ＲＯＭ
１１ｂ  ＩＰアドレス識別キー
１１ｃ  リダイヤルキー
１９  ワンタッチ／短縮ダイヤルテーブル
２０  通信履歴テーブル
２１  リダイヤル情報テーブル
【図１】
2005033521.tif 000003
【図２】
2005033521.tif 000004
【図３】
2005033521.tif 000005
【図４】
2005033521.tif 000006
【図５】
2005033521.tif 000007